(57)【要約】【課題】紙葉類８の送出に好適な送出ローラ駆動機構を提供する。【解決手段】揺動梃２２の揺動によって紙葉類送出ローラ３を回転させる揺動スライダクランク機構２と、送出ローラ３の回転軸１２に固定されたカム１５と、このカム１５に付勢手段２８によって弾性的に押し当てられたカム押し部材２７とを有してなり、揺動スライダクランク機構２の上下の各死点を超えて送出ローラ３が紙葉類送出方向に回転するように該送出ローラ３に回転力を付与するカム機構１４とを備えている。【選択図】図３
2014208551.tif 000002
【特許請求の範囲】
【請求項１】
紙葉類を送り出す紙葉類送出ローラの駆動機構であって、
上記送出ローラの回転軸に結合されたクランク部材と揺動梃とを滑り対偶で連結してなり、該揺動梃の揺動によって上記送出ローラを回転させる揺動スライダクランク機構と、
上記送出ローラの回転軸に結合されたカムと、このカムに付勢手段によって弾性的に押し当てられたカム押し部材とを有し、上記揺動スライダクランク機構の上下の各死点を超えて上記送出ローラが紙葉類送出方向に回転するように、上記付勢手段により上記カム押し部材及び上記カムを介して上記送出ローラに回転力を付与するカム機構とを備えていることを特徴とする紙葉類送出ローラの駆動機構。
【請求項２】
積み重ねられた紙葉類をその下側から順に送り出す紙葉類送出装置であって、
積み重ねられた紙葉類のうちの最下の紙葉類に下から接触する紙葉類の送出ローラと、
上記送出ローラの回転軸に結合されたクランク部材と揺動梃とを滑り対偶で連結してなり、該揺動梃の揺動によって上記送出ローラを回転させる揺動スライダクランク機構と、
上記送出ローラの回転軸に固定されたカムと、このカムに付勢手段によって弾性的に押し当てられたカム押し部材とを有してなり、上記揺動スライダクランク機構の上下の各死点を超えて上記送出ローラが紙葉類送出方向に回転するように該送出ローラに回転力を付与するカム機構とを備えていることを特徴とする紙葉類送出装置。
【請求項３】
請求項２において、
上記紙葉類の下面には紙葉類送出方向の前後に並ぶ２枚の離型紙が設けられていて、上記揺動梃の往動と復動の一往復揺動で上記送出ローラが１回転して１枚の紙葉類の送出が終わるようにされており、
上記送出ローラによって送り出された紙葉類の前部と後部を受ける前後に間隔をおいて配置された紙葉類受けと、
上記前後の紙葉類受け間に下降し、該前後の紙葉類受けに受けられた紙葉類から後側離型紙の前端部が剥がれた状態になるように該紙葉類を曲げる紙葉類曲げ具と、
上記曲げられた紙葉類が前側離型紙と共に前方へ引かれたときに、後側離型紙が紙葉類から剥がれるように該後側離型紙の前方への移動を阻止する離型紙剥離具と、
上記揺動梃の往動によって上記紙葉類曲げ具が上昇し、上記揺動梃の復動によって上記紙葉類曲げ具が下降するように、当該揺動梃と紙葉類曲げ具とを連結するリンク機構とを備えていることを特徴とする紙葉類送出装置。
【発明の詳細な説明】
【技術分野】
【０００１】
本発明は紙葉類送出ローラの駆動機構及び紙葉類送出装置に関する。
【背景技術】
【０００２】
積み重ねられた紙葉類の集積部から紙葉類を一枚ずつ送出する装置は知られている。例えば、特許文献１には、紙葉類集積部の最下の紙葉類に送出ローラを下から接触させ、送出ローラの回転によって紙葉類集積部の下側から紙葉類を一枚ずつ送出する装置が記載されている。このような紙葉類送出装置では、電動モータを原動力としてベルトや複数のギヤを介して送出ローラを回転させる方法が一般に採用されている。
【０００３】
特許文献２には、紙葉類の送出に関するものではないが、一対の刃物の開閉を揺動梃の揺動によって行なう機構が記載されている。それは、刃物の回動軸に固定したクランクと揺動梃とを連結し、揺動梃の揺動によって刃物を開閉するとともに、クランクの死点を超えて刃物を回動させる付勢手段を設けたものである。
【先行技術文献】
【特許文献】
【０００４】
【特許文献１】特開２００１−３５４３３２号公報
【特許文献２】特開２００５−２７９７１３号公報
【発明の概要】
【発明が解決しようとする課題】
【０００５】
上記紙葉類送出装置において、電動モータ等の動力源の利用は紙葉類を連続的に送出することに適するが、紙葉類の随意的あるいは間欠的な送出には向かず、また、ベルトやギヤを必要とすることもあって装置コストが高くなり、メンテナンスも面倒になる。
【０００６】
この問題を、本発明は、送出ローラの回転駆動に揺動スライダクランク機構を採用することによって解決する。
【０００７】
但し、この機構の場合、揺動梃の揺動だけでは、クランクの死点を超えて送出ローラを回転させることができない。これに対して、特許文献２にはクランクの死点を超えた回動を可能にする付勢手段を設けることが開示されているが、単に付勢手段を設けただけでは、送出ローラを回転させることはできない。
【０００８】
そこで、本発明は電動モータ等の動力源を用いることなく紙葉類送出ローラを回転する送出ローラ駆動機構及び紙葉類送出装置を提供する。
【課題を解決するための手段】
【０００９】
本発明は、上記課題を解決するために、揺動スライダクランク機構にカム機構を組み合わせた。
【００１０】
すなわち、ここに提示する紙葉類を送り出す紙葉類送出ローラの駆動機構は、
上記送出ローラの回転軸に結合されたクランク部材と揺動梃とを滑り対偶で連結してなり、該揺動梃の揺動によって上記送出ローラを回転させる揺動スライダクランク機構と、
上記送出ローラの回転軸に結合されたカムと、このカムに付勢手段によって弾性的に押し当てられたカム押し部材とを有し、上記揺動スライダクランク機構の上下の各死点を超えて上記送出ローラが紙葉類送出方向に回転するように、上記付勢手段により上記カム押し部材及び上記カムを介して上記送出ローラに回転力を付与するカム機構とを備えていることを特徴とする。
【００１１】
この駆動機構では、揺動梃の揺動によって送出ローラが揺動スライダクランク機構の上下の各死点まで回転すると、付勢手段によってカム押し部材からカムに対して送出ローラを紙葉類送出方向に回転させる力が加わり、送出ローラが当該死点を超えて回転する。つまり、送出ローラは揺動スライダクランク機構とカム機構との協働によって１回転する。従って、揺動梃を揺動させるだけで、送出ローラを随意に回転させて紙葉類を送り出すことができる。
【００１２】
また、ここに提示する紙葉類送出装置は、積み重ねられた紙葉類をその下側から順に送り出す装置であって、
積み重ねられた紙葉類のうちの最下の紙葉類に下から接触する紙葉類の送出ローラと、
上記送出ローラの回転軸に結合されたクランク部材と揺動梃とを滑り対偶で連結してなり、該揺動梃の揺動によって上記送出ローラを回転させる揺動スライダクランク機構と、
上記送出ローラの回転軸に固定されたカムと、このカムに付勢手段によって弾性的に押し当てられたカム押し部材とを有してなり、上記揺動スライダクランク機構の上下の各死点を超えて上記送出ローラが紙葉類送出方向に回転するように該送出ローラに回転力を付与するカム機構とを備えていることを特徴とする。
【００１３】
この紙葉類送出装置は上記紙葉類送出ローラの駆動機構を利用したものであり、揺動梃の揺動によって送出ローラが回転し、積み重ねられた紙葉類のうちの送出ローラに接触している最下の紙葉類が送出ローラとの摩擦によって送り出されていく。送出ローラが揺動スライダクランク機構の上下の各死点まで回転すると、付勢手段によってカム押し部材からカムに対して送出ローラを紙葉類送出方向に回転させる力が加わるから、送出ローラが当該死点を超えて回転する。つまり、送出ローラは揺動スライダクランク機構とカム機構との協働によって１回転する。従って、揺動梃を揺動させるだけで送出ローラを随意に回転させて、積み重ねられた紙葉類の下側から順に紙葉類を送り出すことができる。
【００１４】
好ましい態様では、上記送出ローラの紙葉類送出方向前方に、送出される最下の紙葉類に上側の紙葉類が引きずられたときの、この上側の紙葉類の前進を阻止するストッパが設けられている。このストッパは、積み重ねられた紙葉類の方を向くストッパ面と、該ストッパ面の下端から前方に向かって下方へ延びる傾斜面とを有し、該ストッパ面と傾斜面とは鈍角をなしている。
【００１５】
一方、上記送出ローラは、積み重ねられた紙葉類の前部をローラ周面で支持するように設けられ、且つ１回転で１枚の紙葉類の送出が終わるように形成されている。さらに、上記送出ローラは、最下の紙葉類が上記ストッパに近づくに従ってローラ周面の紙葉類支持面が高くなり、積み重ねられた紙葉類全体が上向きに傾斜した状態になって最下の紙葉類が上記ストッパの傾斜面に当たる一方、該最下の紙葉類に引きずられた上側の紙葉類が上記ストッパ面に当たるように、そして、当該最下の紙葉類が上記ストッパの下をくぐり抜けるに従って、紙葉類支持面が低くなるように、該送出ローラの回転中心からローラ周面までの距離が変化している。
【００１６】
この態様によれば、送出ローラの回転に伴って、最下の紙葉類に上側の紙葉類が引きずられたとき、この上側の紙葉類と最下の紙葉類とはストッパのストッパ面と傾斜面とのなす鈍角部に向かって斜め上向きになって進む。そのため、上側の紙葉類と最下の紙葉類とが鈍角部に当たったときに上下に分かれやすくなり、上側の紙葉類の前進阻止に有利になる。
【００１７】
また、好ましい態様では、上記紙葉類の下面には紙葉類送出方向の前後に並ぶ２枚の離型紙が設けられていて、上記揺動梃の往動と復動の一往復揺動で上記送出ローラが１回転して１枚の紙葉類の送出が終わるようにされており、
上記送出ローラによって送り出された紙葉類の前部と後部を受ける前後に間隔をおいて配置された紙葉類受けと、
上記前後の紙葉類受け間に下降し、該前後の紙葉類受けに受けられた紙葉類から後側離型紙の前端部が剥がれた状態になるように該紙葉類を曲げる紙葉類曲げ具と、
上記曲げられた紙葉類が前側離型紙と共に前方へ引かれたときに、後側離型紙が紙葉類から剥がれるように該後側離型紙の前方への移動を阻止する離型紙剥離具と、
上記揺動梃の往動によって上記紙葉類曲げ具が上昇し、上記揺動梃の復動によって上記紙葉類曲げ具が下降するように、当該揺動梃と紙葉類曲げ具とを連結するリンク機構とを備えている。
【００１８】
従って、揺動梃の揺動によって送出ローラによる紙葉類の送出と紙葉類曲げ具による後側離型紙の前端部の剥離とを行なうことができる。そして、曲げられた紙葉類を前側離型紙と共に前方へ引くと、離型紙剥離具が後側離型紙の前方への移動を阻止する結果、後側離型紙が紙葉類から剥がれていく。
【００１９】
好ましい態様では、上記離型紙は上記紙葉類よりも幅広であって、その両側部が紙葉類の両外側に張り出しており、上記紙葉類曲げ具は、前後の紙葉類受けに受けられた紙葉類に上から接触して該紙葉類を曲げる昇降ローラによって構成され、該昇降ローラの軸方向の両外側に該昇降ローラと共に昇降する離型紙剥離具が設けられている。
【００２０】
上記昇降ローラ両側の離型紙剥離具は、該昇降ローラよりも下方に突出し上記紙葉類の両外側に張り出した上記離型紙の両側部に当たるように設けられている。さらに、上記昇降ローラが下降端に達したときの該昇降ローラと前側の紙葉類受けとの間隔は、紙葉類の厚さよりも広くなっている。
【００２１】
従って、昇降ローラ及び離型紙剥離具が下降すると、昇降ローラが紙葉類を曲げ、後側の離型紙の前端部が紙葉類から剥がれた状態になる。この状態から、紙葉類を前側の離型紙と共に昇降ローラに巻き掛けながら前方へ斜め上方に引き上げると、後側の離型紙は、昇降ローラよりも下方に突出した離型紙剥離具によって前進が阻止される結果、紙葉類から引き剥がされて落下する。紙葉類を昇降ローラに巻き掛けた状態では、紙葉類は前側紙葉類受けに接触しないから、後側離型紙が剥がされた紙葉類が前側紙葉類受けに付着することが避けられる。
【発明の効果】
【００２２】
本発明によれば、揺動梃の揺動によって紙葉類送出ローラを回転させる揺動スライダクランク機構と、該揺動スライダクランク機構の上下の死点を超えて上記送出ローラが回転するように該送出ローラに回転力を付与するカム機構とを備えているから、揺動梃を揺動させるだけで、送出ローラを随意に回転させて紙葉類を送り出すことができる。
【図面の簡単な説明】
【００２３】
【図１】紙葉類送出装置の一例を示す斜視図である。
【図２】紙葉類の一例を示す斜視図である。
【図３】上記装置の機構を示す分解斜視図である。
【図４】揺動スライダクランク機構とカム機構の関係を示す側面図である。
【図５】揺動梃を下動させた状態の同関係を示す側面図である。
【図６】カム機構の働きによってクランク部材が回転した状態の同関係を示す側面図である。
【図７】揺動梃を上動させた状態の同関係を示す側面図である。
【図８】紙葉類送出前の送出ローラとストッパとを示す側面図である。
【図９】上側の紙葉類の前進がストッパで止められている状態を示す側面図である。
【図１０】離型紙剥離装置の一例を示す正面図である。
【図１１】剥離装置と受けローラと紙葉類の関係を示す側面図である。
【図１２】剥離装置が下降した状態の同関係を示す側面図である。
【図１３】離型紙が剥がれる状態の同関係を示す側面図である。
【図１４】剥離装置を駆動するリンク機構と揺動スライダクランク機構の関係を示す側面図である。
【発明を実施するための形態】
【００２４】
以下、本発明を実施するための形態を図面に基づいて説明する。以下の好ましい実施形態の説明は、本質的に例示に過ぎず、本発明、その適用物或いはその用途を制限することを意図するものではない。
【００２５】
図１に示す紙葉類送出装置において、１は紙葉類を積み重ねて収容する収容ケース、２は紙葉類を送出する送出ローラ（フリクションローラ）３を回転させる揺動スライダクランク機構、４は揺動スライダクランク機構２を駆動するペダル、５は紙葉類から離型紙を剥離する剥離装置６を駆動するためのリンク機構である。収容ケース１は機台７に支持されている。
【００２６】
図２に示すように、紙葉類８の裏面には紙葉類送出方向の前後に並ぶ離型紙９ａ，９ｂが設けられている。離型紙９ａ，９ｂは紙葉類８よりも幅広であって、その両側部が紙葉類８の両側に張り出している。
【００２７】
図３に示すように、収容ケース内には紙葉類載置台１１が設けられ、紙葉類送出方向における紙葉類載置台１１の前方に送出ローラ３が配置されている。離型紙付き紙葉類８は、送出ローラ３と紙葉類載置台１１とに跨がるように且つ送出ローラ３の長手方向に間隔をおいた２カ所に積重ねて載置される。なお、図示は省略するが、紙葉類載置台１１の中央には紙葉類載置部を２カ所に仕切る仕切り壁が立設されている。
【００２８】
送出ローラ３は積み重ねられた紙葉類８の最下の紙葉類８に下から接触するから、この送出ローラ３を回転させると、積み重ねられた紙葉類８はその下側から順に送り出されることになる。送出ローラ３の１回転で１枚の離型紙付き紙葉類８が送り出される。
【００２９】
送出ローラ３の回転軸１２の一端に揺動スライダクランク機構２を構成するクランク部材１３が結合されている。回転軸１２の他端にはカム機構１４を構成するカム１５が結合されている。紙葉類送出方向における送出ローラ３の前方には、送出される最下の紙葉類８に上側の紙葉類８が引きずられたときの、この上側の紙葉類８の前進を阻止するストッパ１６が設けられている。
【００３０】
ストッパ１６の前方には、ストッパ１６の下をくぐり抜けた紙葉類８を受けるための前後に間隔をおいて配置された受けローラ１７，１８が設けられている。受けローラ１７，１８は送出ローラ３と平行に設けられている。本実施形態では、上述の２カ所の紙葉類載置部に対応して、２組の受けローラ１７，１８が設けられている。
【００３１】
（揺動スライダクランク機構及びカム機構）
クランク部材１３は円板の軸心から離れた位置にピン２１を設けてなる。このクランク部材１３のピン２１を揺動梃２２に形成された長孔２３に移動自在に設ける（滑り対偶で連結する）ことによって揺動スライダクランク機構２が構成されている。図１に示すように、揺動梃２２の一端は収容ケース１に軸支され、他端はリンク部材２４によってペダル４に連結されている。揺動梃２２は付勢手段（引張スプリング）２５によって揺動が一方に戻る方向（ペダル４が戻る方向）に付勢されている。
【００３２】
カム機構１４は送出ローラ３が揺動スライダクランク機構２の上下の各死点を超えて紙葉類送出方向に回転するように該送出ローラ３に回転力を付与する。具体的に説明すると、図４に示すように、カム機構１４は、カム１５と、カム押し部材２７と、カム押し部材２７をカム１５に弾性的に押し当てる付勢手段（引張スプリング）２８とによって構成されている。カム押し部材２７はＬ字状をなし、その中央の角部が収容ケース１に軸支されており、その一端がカム１５に押し当てられるように、その他端と収容ケース１との間に付勢手段２８が設けられている。
【００３３】
カム１５は、揺動梃２２が上動して上死点に達したときにカム押し部材２７が接触する上死点側のカム面１５ａと、揺動梃２２が下動して下死点に達したときにカム押し部材２７が接触する下死点側のカム面１５ｂとを備えている。
【００３４】
カム押し部材２７が上死点側のカム面１５ａに接触すると、付勢手段２８がカム押し部材２７を介してカム１５に回転力を与えることにより、送出ローラ３が上死点を超えて紙葉類送出方向に所定角度回転する。これにより、揺動梃２２が下動したときには送出ローラ３がさらに紙葉類送出方向に回転する状態になる。同じく、カム押し部材２７が下死点側のカム面１５ｂに接触すると、付勢手段２８がカム押し部材２７を介してカム１５に回転力を与えることにより、送出ローラ３が下死点を超えて紙葉類送出方向に所定角度回転する。これにより、揺動梃２２が上動したときには送出ローラ３がさらに紙葉類送出方向に回転する状態になる。
【００３５】
さらに、カム１５の上記回転方向におけるカム面１５ａ，１５ｂ各々の後側には、送出ローラ３が上下の死点を超えて所定角度回転した後のカム１５の逆転を阻止するようにカム押し部材２７が係合する上死点側の係合部１５ｃ及び下死点側の係合部１５ｄが窪んだ形状に形成されている。
【００３６】
図４はペダル４が踏まれていない状態の揺動スライダクランク機構２及びカム機構１４を示す。揺動梃２２は付勢手段２５によって引き上げられており、カム押し部材２７は付勢手段２８によってカム１５の上死点側の係合部１５ｃに係合している。従って、ペダル４を踏むと、揺動梃２２が下動することによって送出ローラ３が紙葉類送出方向に回転する（揺動スライダクランク機構２による回転）。
【００３７】
揺動梃２２が下死点に達すると、図５に示すように、カム押し部材２７がカム１５の下死点側のカム面１５ｂに接触した状態になる。これにより、付勢手段２８によってカム押し部材２７を介してカム１５に回転力が与えられ、送出ローラ３が紙葉類送出方向に所定角度回転する（カム機構１４による回転）。
【００３８】
その結果、図６に示すように、カム押し部材２７がカム１５の下死点側の係合部１５ｄに係合した状態になる。従って、ペダル４の踏み込みを解除し付勢手段２５の付勢力によって揺動梃２２を上動させると、送出ローラ３が紙葉類送出方向に回転する（揺動スライダクランク機構２による回転）。
【００３９】
その結果、図７に示すように、カム押し部材２７はカム１５の上死点側のカム面１５ａに接触した状態になる。これにより、付勢手段２８によってカム押し部材２７を介してカム１５に回転力が与えられ、送出ローラ３が紙葉類送出方向に所定角度回転する（カム機構１４による回転）。
【００４０】
その結果、図４に示すように、カム押し部材２７がカム１５の上死点側の係合部１５ｃに係合した状態になる。
【００４１】
以上のように、揺動スライダクランク機構２とカム機構１４との組み合わせにより、揺動梃２２を揺動させるだけで、送出ローラ３を紙葉類送出方向に１回転させることができ、紙葉類８を確実に送り出すことができる。
【００４２】
（ストッパについて）
図８に示すように、ストッパ１６は、積み重ねられた紙葉類の方を向くストッパ面１６ａと、該ストッパ面１６ａの下端から前方に向かって下方へ延びる傾斜面１６ｂとを有し、該ストッパ面１６ａと傾斜面１６ｂとが鈍角をなしている。
【００４３】
一方、送出ローラ３は、その回転軸１２が真円ローラの幾何学的中心からずれた偏心ローラである。送出ローラ３は、紙葉類８を送出していない待機状態では、ローラ周面の回転軸１２に最も近い部位で紙葉類８の前部を支持している。この部位は紙葉類載置台１１の上面と同じ高さになっている。そのため、積み重ねられた紙葉類８の全体は水平状態で送出ローラ３と紙葉類載置台１１に載置されている。なお、図８において、符号２９は積み重ねられた紙葉類８を押さえる重りである。
【００４４】
送出ローラ３が回転し始めると、回転軸１２が偏心しているため、最下の紙葉類がストッパ１６に近づくに従って、ローラ周面による紙葉類８の支持高さが漸次高くなっていく。その結果、積み重ねられた紙葉類全体はその前側が高くなって上向きに傾斜した状態になる。そして、図９に示すように、最下の紙葉類８がストッパ１６の傾斜面１６ｂに当たり、該最下の紙葉類８に引きずられた上側の紙葉類８がストッパ面１６ａに当たる。
【００４５】
そして、送出ローラ３の回転に伴って、最下の紙葉類８はストッパ１６の下をくぐり抜けていくが、上側の紙葉類８はストッパ面１６ａによって前進が阻止された状態にキープされ、最下の紙葉類８の送出終了に伴ってローラ周面による紙葉類８の支持高さが低くなっていく。
【００４６】
以上のように、送出ローラ３の回転に伴って、最下の紙葉類８に上側の紙葉類８が引きずられたとき、この上側の紙葉類８と最下の紙葉類８とはストッパ１６のストッパ面１６ａと傾斜面１６ｂとのなす鈍角部に向かって斜め上向きになって進む。そのため、上側の紙葉類８と最下の紙葉類８とが鈍角部に当たったときに上下に分かれやすくなり、上側の紙葉類８の前進阻止に有利になる。
【００４７】
（離型紙剥離装置６）
図１に示すように、離型紙剥離装置６は、送出ローラ３の幅方向に間隔をおいて設けられた上下に延びる２本の昇降ロッド３１の下端に設けられている。
【００４８】
図１０に示すように、離型紙剥離装置６は、昇降ロッド３１の下端の軸受３２に支持された紙葉類曲げ具としての昇降ローラ３３と、軸受３２に固定され昇降ローラ３３と共に昇降する一対の離型紙剥離具３４とを備えてなる。
【００４９】
昇降ローラ３３は、送出ローラ３と平行に設けられていて、受けローラ１７，１８間に下降し、この受けローラ１７，１８に受けられている紙葉類８を下方へ凸になるように湾曲させる。離型紙剥離具３４は、昇降ローラ３３の軸方向の両外側に設けられていて、昇降ローラ３３よりも下方に突出している。離型紙剥離具３４は、紙葉類８の両外側に張り出した離型紙９ａ，９ｂの両側部に（図１１に示すように、前側離型紙９ａと後側離型紙９ｂとの境界部に）当たるように設けられている。図１２及び図１３に示すように、昇降ローラ３３が下降端に達したときの該昇降ローラ３３と前側の受けローラ１７との間隔は、紙葉類８の厚さよりも広くなっている。
【００５０】
従って、図１１及び図１２に示すように、昇降ローラ３３及び離型紙剥離具３４が下降すると、昇降ローラ３３が紙葉類８を曲げ、離型紙剥離具３４が後側の離型紙９ｂの前端部を紙葉類から剥がした状態になる。この状態から、図１３に示すように、紙葉類８を前側の離型紙９ａと共に昇降ローラ３３に巻き掛けながら前方に且つ斜め上方に引き上げると、後側の離型紙９ｂは、昇降ローラ３３よりも下方に突出した離型紙剥離具３４によって前進が阻止される結果、紙葉類８から引き剥がされて落下する。紙葉類８を昇降ローラ３３に巻き掛けた状態では、紙葉類８は前側の受けローラ１７に接触しないから、後側離型紙９ｂが剥がされた紙葉類８が前側の受けローラ１７に付着することが避けられる。
【００５１】
（剥離装置昇降用のリンク機構）
図１に示すように、離型紙剥離装置６を昇降させるために、収容ケース１の上部両側面には前方に延びるアーム４１と前後方向に延びる揺動リンク４２とが同軸で枢支されている。このアーム４１の前端と揺動リンク４２の前端とに支軸４３が渡され、この支軸４３に上記昇降ロッド３１の上端部が支持されている。収容ケース１には昇降ロッド３１の上下動を案内するガイド４４が固定されている。
【００５２】
揺動リンク４２は、その中間部が収容ケース１の側面上部に枢支されていて、上下に揺動する。この揺動リンク４２の揺動によって剥離装置６が昇降ロッド３１と共に昇降する。この揺動リンク４２を揺動梃２２によって揺動させるために、揺動リンク４２の後端と揺動梃２２とが上下方向に延びる連結リンク４５によって連結されている。この揺動リンク４２と連結リンク４５によってリンク機構５が構成されている。
【００５３】
そうして、離型紙付き紙葉類８が受けローラ１７，１８に送り出された後に剥離装置６が下降端に達するように、紙葉類８の送出に対して剥離装置６の下降を遅らせる遅延機構がリンク機構５に組み込まれている。この遅延機構は、剥離装置６を上昇した待機位置に保持する保持手段と、その保持を遅延解除する解除手段とによって構成されている。以下、具体的に説明する。
【００５４】
図１４に示すように、保持手段は、揺動リンク４２と一体に設けられた係合板４８と、収容ケース１の側面に水平支軸で回動自在に支持された回動板４９とを備えてなる。係合板４８の係合部４８ａに回動板４９のストッパ部４９ａが係合することにより、剥離装置６が下降する方向に揺動リンク４２が揺動することが阻止される。つまり、剥離装置６はストッパ部４９ａによって待機位置に保持される。回動板４９は、ストッパ部４９ａが係合板４８に係合する方向に回動するように付勢手段（引張スプリング）５１によって付勢されている。
【００５５】
また、連結リンク４５には、その下降端から所定距離以上に上動したときに回動板４９の当て部４９ｂを当接し回動板４９を付勢手段５１の付勢に抗して回動させる突起４５ａが設けられている。この連結リンク４５の突起４５ａと回動板４９の当て部４９ｂとによって、ストッパ部４９ａによる剥離装置６の保持を遅延解除する手段が構成されている。
【００５６】
また、揺動リンク４２と連結リンク４５とは、揺動リンク４２に固定したピン部材４６を連結リンク４５の上端部に形成された長孔４７に移動自在に設けてなる滑り対偶で連結されている。これにより、連結リンク４５が下降端から上記所定距離上動するまでは、連結リンク４５から揺動リンク４２に力が伝わらないようにしている。
【００５７】
ここに、図１４に実線で示すように、揺動梃２２が上死点側にあるときは剥離装置６が下降端に位置する。また、回動板４９はその当て部４９ｂが連結リンク４５の突起４５ａに受けられていて、ストッパ部４９ａが係合板４８から外れた位置に回動している。
【００５８】
ペダル４が踏まれて揺動梃２２が下動すると、先に説明したように送出ローラ３が紙葉類送出方向に回転して紙葉類８の送出が開始される。このとき、揺動梃２２の下動に伴って連結リンク４５が下動するから、揺動リンク４２が回動して剥離装置６が待機位置に上昇する。そして、連結リンク４５の下動に伴って突起４５ａと回動板４９の当て部４９ｂとの係合が外れる。その結果、回動板４９が付勢手段５１の付勢によって回動し、ストッパ部４９ａが係合板４８の係合部４８ａに係合して、剥離装置６が待機位置に保持される。
【００５９】
ペダル４の踏み込みが解除されると、揺動梃２２が上動するから、先に説明したように送出ローラ３がさらに紙葉類送出方向に回転して紙葉類８の送出が進む。揺動梃２２の上動に伴って連結リンク４５も上動するが、揺動リンク４２と連結リンク４５とはピン部材４６と長孔４７で連結されているから、揺動リンク４２は動かない。
【００６０】
連結リンク４５が所定距離上動すると、突起４５ａが回動板４９の当て部４９ｂに当たる。そして、連結リンク４５のさらなる上動によって回動板４９が付勢手段５１の付勢に抗して回動する。その結果、回動板４９のストッパ部４９ａと係合板４８の係合部４８ａとの係合が外れる。これにより、揺動リンク４２の揺動が自由になる。
【００６１】
その結果、揺動リンク４２のピン部材４６が連結リンク４５の長孔４７を上方へ移動することにより、剥離装置６が昇降ロッド３１と共に自重で下降して、既に受けローラ１７，１８に受けられている離型紙付き紙葉類８に剥離装置６が当接する。よって、剥離装置によって紙葉類８を確実に曲げて後側離型紙９ｂを剥がすことができる。
【００６２】
なお、上記実施形態は離型紙付き紙葉類８の送出及び離型紙の剥離を行なうケースであるが、本発明は離型紙の有無に拘わらず紙葉類の送出に利用することができる。紙葉類を１枚ずつ送出するだけのケースでは、剥離装置６及びその駆動機構は不要になる。
【符号の説明】
【００６３】
１    紙葉類収容ケース
２    揺動スライダクランク機構
３    送出ローラ
４    ペダル
５    リンク機構
６    剥離装置
８    紙葉類
９ａ，９ｂ    離型紙
１１    紙葉類載置台
１２    回転軸
１３    クランク部材
１４    カム機構
１５    カム
１７，１８    受けローラ（紙葉類受け）
２２    揺動梃
２７    カム押し部材
２８    付勢手段
３３    昇降ローラ（紙葉類曲げ具）
３４    離型紙剥離具
【図１】
2014208551.tif 000003
【図２】
2014208551.tif 000004
【図３】
2014208551.tif 000005
【図４】
2014208551.tif 000006
【図５】
2014208551.tif 000007
【図６】
2014208551.tif 000008
【図７】
2014208551.tif 000009
【図８】
2014208551.tif 000010
【図９】
2014208551.tif 000011
【図１０】
2014208551.tif 000012
【図１１】
2014208551.tif 000013
【図１２】
2014208551.tif 000014
【図１３】
2014208551.tif 000015
【図１４】
2014208551.tif 000016